(57)【特許請求の範囲】
【請求項１】
横凹入縁に支柱に設けた腕金を係合させて相対させ、しかも、前記腕金を挿通する通しボルトで互いに組付ける一対の挟持片と、灯器に設けたケーブルの導出口を取り囲んでボルトとナットで方形箱状の灯器の上壁板にフランジ部において取付けて立設する、内側接続筒と該内側接続筒より開口上端を高所に配した外側接続筒とを備え、外側接続筒の上部に設けた周溝に係合して該外側接続筒を支持する掛止突条を、前記外側接続筒を係合する、前記挟持片の断面半円状に形成された縦凹入縁に設け、縦凹入縁の前記各挟持片の両側部には、挟持片同士を互いに締付ける締付けボルトの挿通孔を設けると共に、前記内側接続筒には前記ケーブルを通す套装ホースの一端を取付け、さらに、前記外側接続筒のフランジ部の下面に、該接続筒の内外の周端を連通する溝を設けた、歩行者用信号灯器の取付け金具。
【発明の詳細な説明】
【技術分野】
【０００１】
本発明は、歩行者用信号灯器を支柱に設けた腕金に取付け、支持させるために用いる、歩行者用信号灯器の取付け金具に関するものである。
【背景技術】
【０００２】
歩行者用信号灯器は、信号灯器用の支柱を道路上に立設し、該支柱に設けた上下の腕金に支持させて用いるのが一般である（特許文献１）。
【先行技術文献】
【特許文献】
【０００３】
【特許文献１】特開２００３−２１７０７５号公報
【発明の概要】
【発明が解決しようとする課題】
【０００４】
前記従来例は、上下の腕金によって信号灯器を支持させる構成を採るため、耐久的ではあるが、上下の腕金に、灯器の上部側と下部側を取付けるため、必然的に取付け部品点数が多くなり、該部品を組合わせることから取付け作業も煩雑となるため作業性の良い取付け金具が望まれている。
【０００５】
本発明は、低価格化の要望に対処し、支柱に設けた腕金に簡単に取付けられ、使用勝手の良好な、歩行者用信号灯器の取付け金具を提供すべく創案したものである。
【課題を解決するための手段】
【０００６】
横凹入縁に支柱に設けた腕金を係合させて相対させ、しかも、前記腕金を挿通する通しボルトで互いに組付ける一対の挟持片と、灯器に設けたケーブルの導出口を取り囲んでボルトとナットで方形箱状の灯器の上壁板にフランジ部において取付けて立設する、内側接続筒と該内側接続筒より開口上端を高所に配した外側接続筒とを備え、外側接続筒の上部に設けた周溝に係合して該外側接続筒を支持する掛止突条を、前記外側接続筒を係合する、前記挟持片の断面半円状に形成された縦凹入縁に設け、縦凹入縁の前記各挟持片の両側部には、挟持片同士を互いに締付ける締付けボルトの挿通孔を設けると共に、前記内側接続筒には前記ケーブルを通す套装ホースの一端を取付け、さらに、前記外側接続筒のフランジ部の下面に、該接続筒の内外の周端を連通する溝を設けた、構成とするのである。
【発明の効果】
【０００７】
本発明によれば、歩行者用信号灯器を上部側だけで支柱の腕金に取付け、支持させる構成を採るものであるから、腕金に簡単に取付けられ、また、締付けボルトを緩めることにより信号灯器の方向を簡単に変更でき使用勝手の良好な取付け金具を提供できる。そして、灯器の上面にケーブル導出口が有っても、該導出口を通じての雨水の灯器内への浸入することがなく、灯器上面にケーブル導出口が存在することによってケーブル配線作業を効率的に行うことのできる取付け金具を提供できる。
【図面の簡単な説明】
【０００８】
【図１】一部欠截正面図。
【図２】図１の平面図。
【図３】図１の断面図。
【図４】取付け金具と腕金の関係を示す正面図。
【実施例】
【０００９】
図面は本発明に係る歩行者用信号灯器の取付け金具の一実施例を示し、取付け金具Ａは、縦長方形箱状の信号灯器Ｓをケーブル１０９の導出口１０１を設けた上壁板１０２に取付け、該取付金具Ａを介して支柱１０７に設けた腕金１０３に信号灯器Ｓを吊設するようにしたものである。
【００１０】
取付け金具Ａは、互いに同径な一対の挟持片１，１を、前記腕金１０３と灯器Ｓの上面に立設した外側接続筒２およびその内側の内側接続筒３を介して相対して配し、該挟持片１，１を前記腕金１０３を半径方向に貫通する通しボルト４と、外側接続筒２の両側に配する、一対の締付けボルト５，５並びにこれらに螺合するナット４ａ，５ａによって腕金１０３を介して互いに締付け、灯器Ｓをその上部において腕金１０３に取付けるようにして用いるものである。
【００１１】
挟持片１は、鋼板をプレス成形して得たもので、断面半円状の横凹入縁６を上部側に、同じく断面半円状の縦凹入縁７を下部側にそれぞれ備え、縦凹入縁７を横凹入縁６の中央部に位置させたもので、横凹入縁６には前記腕金１０３の中間部を、縦凹入縁７には前記外側接続筒２を係合するようにする。そして、横凹入縁６を構成する上部片６Ａには、長手方向の中央部に位置させて前記通しボルト４の挿通孔８を、上端縁（先端縁）には凸部９ａと凹部９ｂが互いに等幅にして成る凹凸をそれぞれ設ける一方、前記縦凹入縁７を構成する下部片７Ａには前記外側接続筒２に設けた周溝１０に係合する掛止突条１１を設け、この掛止突条１１（凹入縁７）の両側の、前記下部片７Ａのフランジ状の平板で成る側部７Ａ´，７Ａ´には前記締付けボルト５を挿通する透孔１２を設けてある。
【００１２】
内側接続筒３と、該内側接続筒３の開口上端をより開口上端を高所に配した筒状の外側接続筒２は、筒状鋼材をプレス加工して得たもので、上下両端を開口した円筒部３ａ，２ａと該円筒部３ａ，２ａの下端に突出させたフランジ部３ｂ，２ｂとで成り、フランジ部３ｂ，２ｂには等間隔を置いて互いに一致させて設けた取付けボルト１３の透孔１４，１５（実施例ではそれぞれ３個）を備え、外側接続筒２のフランジ部２ｂの下面には、リブを設けて前記円筒部２ａと外界を連通する溝１６を形成し、円筒部２ａ内に浸入した雨水を外部へ排出できるようにしてある。
【００１３】
そして、外側接続筒２と内側接続筒３並びにパッキング１７を、フランジ部２ｂ，３ｂに設けた透孔１４，１５およびパッキング１７に設けた透孔に取付けボルト１３を挿通させるようにして組合わせ、各取付けボルト１３の先端を灯器Ｓの上壁板１０２に設けた透孔１８と上壁板１０２の裏面に重ね合わせた、補強用の当て板１９に設けた透孔２０に挿通させ、当て板１９より突出するボルト１３先端に取付けナット１３ａを螺合締付けることにより信号灯器Ｓに内外の接続筒２，３は組付けられ、前記導出口１０１を取り囲むようにして灯器Ｓ上に突設される。
【００１４】
そして、腕金１０３を介在させるようにして相対向させた一対の挟持片１，１と腕金１０３に、通しボルト４を挿通させて、一方の挟持片１より突出するボルト４の先端にナット４ａを緩く螺合して腕金１０３に一対の挟持片１，１を相対させて組合わせ、該挟持片１，１の、相対する縦凹入縁７，７間に信号灯器Ｓ側に組付けた外側接続筒２を挟持片１の下側から差し込み、接続筒２に設けた周溝１０が縦凹入縁７に設けた掛止突条１１に係合するまで前記外側接続筒２すなわち接続筒２を組付けた信号灯器Ｓを持ち上げ、係合した状態になったとき、前記ナット４ａを締付ける一方、透孔１２間に適宜通した締付けボルト５とこれに螺合する締付けナット５ａによって挟持片１の下部片７Ａが側部７Ａ´，７Ａ´同士を締付けることにより信号灯器Ｓは支柱に設けた腕金１０３に吊設される。
【００１５】
なお、内側接続筒３に、前記作業中（必ずしも、前記作業順にする必要はないが）の適時に套装ホース２３の一端を外側から嵌めて取付ける。套装ホース２３は、該ホース２３を通じて灯器Ｓから導出したケーブルに雨水ができるだけ接触しないようにすることと、灯器Ｓに形成した導出口１０１を通じて雨水の灯器Ｓ内への浸入を防ぐことを目的とする。
【００１６】
外側接続筒２のフランジ部２ｂに設けた前記溝１６は、前記の通り、この雨仕舞効果を期待するもので、外側接続筒２と内側接続筒３乃至套装ホース２３間に降り込んだ雨水は内側接続筒３のフランジ部３ｂ上に位置するこの溝１６を通じて取付け金具Ａの外部に排出される。
【符号の説明】
【００１７】
１          挟持片
２          外側接続筒
３          内側接続筒
４          通しボルト
５          締付けボルト
６          横凹入縁
７          縦凹入縁
１０        周溝
１１        掛止突条
１３        取付けボルト
２３        套装ホース
１０１      導出口
１０２      上壁板
１０３      腕金
１０７      支柱
１０９      ケーブル
【図１】
0005438598.tif 000002
【図２】
0005438598.tif 000003
【図３】
0005438598.tif 000004
【図４】
0005438598.tif 000005